(57)【要約】      （修正有）【課題】特に建設廃棄物を再利用してエコに優しい建築構造を提供する。【解決手段】保護ユニット２０及び保温ユニット３０を有し、保護ユニット２０は、管体２１と、基層２２と、作業空間２３を備え、管体２１の両端にそれぞれ開口が形成され、基層２２は、作業空間２３の内部に設置され、作業空間２３の内部は、１つの作業区域及び２つの準備区域に区画され、作業区域は、２つの準備区域の間に形成され、準備区域はそれぞれ、管体２１の両端の開口と連接するように形成され、保温ユニット３０は、汚染防止ユニット３１及び建築充填ユニット３２ａを備え、汚染防止ユニット３１は、保護ユニット２０を被覆すると共に置き場１０に配置するように設けられ、建築充填ユニット３２ａは、保護ユニット２０を被覆するように汚染防止ユニット３１と保護ユニット２０との間に設けられ、建設廃棄物の再生資源によりなる建築用充填材を含む。【選択図】図１
0003216346.tif 000002
【実用新案登録請求の範囲】
【請求項１】
少なくとも１つの保護ユニット及び保温ユニットを有し、
前記各保護ユニットは、管体と、基層と、前記管体の内部に形成される作業空間を備え、前記管体の両端にそれぞれ開口が形成され、前記基層は、作業空間の内部に設置され、前記作業空間の内部は、１つの作業区域及び２つの準備区域に区画され、前記作業区域は、２つの準備区域の間に形成され、前記準備区域はそれぞれ、管体の両端の開口と連接するように形成され、
前記保温ユニットは、汚染防止ユニット及び建築充填ユニットを備え、前記汚染防止ユニットは、保護ユニットを被覆すると共に置き場に配置するように設けられ、前記建築充填ユニットは、保護ユニットを被覆するように汚染防止ユニットと保護ユニットとの間に設けられ、建設廃棄物の再生資源よりなる建築用充填材を含むことを特徴とする建築構造。
【請求項２】
前記建築充填ユニットは、第一充填層を備え、前記第一充填層は、保護ユニットを被覆するように設けられ、前記第一充填層に充填する建築用充填材は、スラグ、フライアッシュ固化体、転炉スラグ、水銀汚染物、耐火レンガ、耐火レンガよりなる材料、などの充填材であることを特徴とする請求項１に記載の建築構造。
【請求項３】
前記建築充填ユニットは、第一充填層及び第二充填層を備え、前記第一充填層及び第二充填層に充填する建築用充填材は、スラグや、フライアッシュ固化体、転炉スラグ、水銀汚染物、耐火レンガ、耐火レンガよりなる材料、などの充填材であり、前記第一充填層は、保護ユニットを被覆するように設置され、前記第二充填層は、第一充填層の上方に設けられることを特徴とする請求項１に記載の建築構造。
【請求項４】
前記建築充填ユニットは、第一充填層と、第二充填層と、第三充填層を備え、前記第一充填層と第二充填層と第三充填層に充填する建築用充填材は、スラグや、フライアッシュ固化体、転炉スラグ、水銀汚染物、耐火レンガ、耐火レンガよりなる材料、などの充填材であり、前記第一充填層は、保護ユニットと隣接するように設置され、前記第二充填層は、第一充填層の上方に設置され、前記第三充填層は、第二充填層の上方に設けられることを特徴とする請求項１に記載の建築構造。
【請求項５】
前記汚染防止ユニットの上面に複数の補助梁が設置されることを特徴とする請求項１乃至４の何れか１項に記載の建築構造。
【請求項６】
前記各保護ユニットの管体に、２つの外側ドア及び２つの内側ドアが設けられ、前記２つの外側ドアは、管体の開口に設けられ、前記２つの内側ドアは、作業区域と準備区域との隣接する箇所に設けられることを特徴とする請求項１乃至４の何れか１項に記載の建築構造。
【請求項７】
前記各保護ユニットにおける、管体の底部は、置き場に埋設され、当該管体の上部は、置き場から突出し、
前記基層は、管体の底部と隣接することを特徴とする請求項１乃至４の何れか１項に記載の建築構造。
【請求項８】
前記管体は、プレキャストコンクリートで形成するものであることを特徴とする請求項１乃至４の何れか１項に記載の建築構造。
【請求項９】
少なくとも１つの換気仕組みを有し、前記換気仕組みは、少なくとも１つの換気パイプを備え、前記換気パイプは、管体の作業空間と連通するように保温ユニットに配置され、
少なくとも１つの補助設備を有し、前記補助設備は、管体の上部に対応する箇所に少なくとも１つの照明装置が設置され、
少なくとも１つの補助装置を有し、前記補助装置は、保温ユニットの上面に少なくとも１つの太陽光発電装置が設置され、前記太陽光発電装置は、照明装置と電気接続されることを特徴とする請求項７に記載の建築構造。
【考案の詳細な説明】
【技術分野】
【０００１】
本考案は、特に建設廃棄物を再利用してエコに優しい建築構造に関するものである。
【背景技術】
【０００２】
建設廃棄物、例えば、スラグや、転炉スラグ、フライアッシュ、水銀汚染物、耐火レンガなどの処理は、地面に穴を掘って廃棄物を埋めるが、廃棄物に含んだ有害物質を、土壌または地下水に漏れれば、環境に汚染する問題があり、また、土壌汚染で栽培した農産物には有害物質を含むことから、人間が不注意で食べると、健康への影響が大きい。
【０００３】
農業作業の過程において、寒波や、台風などの激しい気候変化があったら、農産物に大きな被害が出て、農産物の収穫がうまく行くことができない。既存の農産物の栽培方式について、野菜棚を利用して栽培することが多いが、この野菜棚の構造強度が不足で台風を受けると、野菜棚が壊れてしまう。
【０００４】
畜産業において、例えば、ニワトリの飼育は、セメントまたは鉄板により鶏舎を作ってニワトリを飼育するが、鶏舎の構造強度が不足で台風に耐えられない問題があり、また、気温が急に下がると、鶏が寒さで死亡する恐れがあり、暖房などの加熱設備を使って所定の温度に維持する必要があるが、電気代がかかり、夏の時、鶏が暑さで食欲がなくなり、鶏の健康及び成長に悪影響を与えるので、水やりして温度を下げる必要もあるので、ニワトリの飼育コストが増加した。
【０００５】
牛や、豚、鶏などの家畜を飼育する時は、アンモニアなどの腐食性ガスを発生することから、畜舎の金属製のフレームを腐食して構造強度を弱くするので、畜舎の使用寿命を短縮すると共に、使用上の安全性も低下する。また、畜舎は、殆ど半開放建物であることから、家畜を飼育すると、臭い匂いが広がる問題もあった。
【０００６】
作業環境の温度制御に要求される醸造業界または食品貯蔵について、作業現場の温度を恒温に維持するために、温度制御装置を設置する必要があると共に、動作中に電気を消費して電気代もかかるので、生産コストが高くなった。
【考案の概要】
【考案が解決しようとする課題】
【０００７】
既存の農産物の野菜棚や、畜産業の畜舎、家畜の飼育で発生した腐食性ガス、作業環境の温度制御などの使用上の問題があると共に、建設廃棄物の処理も不法投棄の問題があるので、建設廃棄物を建築用充填材として再利用することにより、建設廃棄物の不法投棄を防止すると共に、栽培や、飼育、醸造などの使用上に適宜な作業環境を提供する。
【課題を解決するための手段】
【０００８】
本考案に係る建築構造は、
少なくとも１つの保護ユニット及び保温ユニットを有し、
前記各保護ユニットは、管体と、基層と、前記管体の内部に形成される作業空間を備え、前記管体の両端にそれぞれ開口が形成され、前記基層は、作業空間の内部に設置され、前記作業空間の内部は、１つの作業区域及び２つの準備区域に区画され、前記作業区域は、２つの準備区域の間に形成され、前記準備区域はそれぞれ、管体の両端の開口と連接するように形成され、
前記保温ユニットは、汚染防止ユニット及び建築充填ユニットを備え、前記汚染防止ユニットは、保護ユニットを被覆すると共に置き場に配置するように設けられ、前記建築充填ユニットは、保護ユニットを被覆するように汚染防止ユニットと保護ユニットとの間に設けられ、建設廃棄物の再生資源よりなる建築用充填材を含むものである。
【０００９】
かかる建築構造において、前記建築充填ユニットは、第一充填層を備え、前記第一充填層は、保護ユニットを被覆するように設けられ、前記第一充填層に充填する建築用充填材は、スラグ、フライアッシュ固化体、転炉スラグ、水銀汚染物、耐火レンガ、耐火レンガよりなる材料、などの充填材であることが好ましい。
【００１０】
かかる建築構造において、前記建築充填ユニットは、第一充填層及び第二充填層を備え、前記第一充填層及び第二充填層に充填する建築用充填材は、スラグや、フライアッシュ固化体、転炉スラグ、水銀汚染物、耐火レンガ、耐火レンガよりなる材料、などの充填材であり、前記第一充填層は、保護ユニットを被覆するように設置され、前記第二充填層は、第一充填層の上方に設けられることが好ましい。
【００１１】
かかる建築構造において、前記建築充填ユニットは、第一充填層と、第二充填層と、第三充填層を備え、前記第一充填層と第二充填層と第三充填層に充填する建築用充填材は、スラグや、フライアッシュ固化体、転炉スラグ、水銀汚染物、耐火レンガ、耐火レンガよりなる材料、などの充填材であり、前記第一充填層は、保護ユニットと隣接するように設置され、前記第二充填層は、第一充填層の上方に設置され、前記第三充填層は、第二充填層の上方に設けられることが好ましい。
【００１２】
かかる建築構造において、前記汚染防止ユニットの上面に複数の補助梁が設置されることが好ましい。
【００１３】
かかる建築構造において、前記各保護ユニットの管体に、２つの外側ドア及び２つの内側ドアが設けられ、前記２つの外側ドアは、管体の開口に設けられ、前記２つの内側ドアは、作業区域と準備区域との隣接する箇所に設けられることが好ましい。
【００１４】
かかる建築構造において、
前記各保護ユニットにおける、管体の底部は、置き場に埋設され、当該管体の上部は、置き場から突出し、
前記基層は、管体の底部と隣接することが好ましい。
【００１５】
かかる建築構造において、前記管体は、プレキャストコンクリートで形成するものであることが好ましい。
【００１６】
かかる建築構造において、
少なくとも１つの換気仕組みを有し、前記換気仕組みは、少なくとも１つの換気パイプを備え、前記換気パイプは、管体の作業空間と連通するように保温ユニットに配置され、
少なくとも１つの補助設備を有し、前記補助設備は、管体の上部に対応する箇所に少なくとも１つの照明装置が設置され、
少なくとも１つの補助装置を有し、前記補助装置は、保温ユニットの上面に少なくとも１つの太陽光発電装置が設置され、前記太陽光発電装置は、照明装置と電気接続されることが好ましい。
【考案の効果】
【００１７】
本考案に係る建築構造は、上述した構成を備えるため、以下のメリットを有する。
保護ユニット及び保温ユニットを有することから、管体の作業区域に、恒温且つ安定性が高い作業場所を提供し、酒造などの醸造作業に利用することができる。
建築充填ユニットが保護ユニットに被覆されるため、太陽光や、風、雨、温度などの外部環境からの影響を遮断することができ、保護ユニットの作業空間に、所定の温度を保ち、環境の変動で飼育または栽培の損害を低減することができる。
建築充填ユニットが保護ユニットに被覆されるため、家禽または家畜からの騒音を遮断することができると共に、道具または機器を使用する時からの騒音も遮断することができ、また、外部からの音も遮断することができる。
【図面の簡単な説明】
【００１８】
【図１】本考案に係る建築構造の第一実施例の正面視断面図である。
【図２】本考案に係る建築構造の第二実施例の正面視断面図である。
【図３】本考案に係る建築構造の第三実施例の正面視部分断面図である。
【図４】本考案に係る建築構造の第四実施例の正面視部分断面図である。
【図５】本考案に係る建築構造の第五実施例の正面視断面説明図である。
【図６】本考案に係る建築構造の第五実施例の側面視断面説明図である。
【図７】本考案に係る建築構造の第六実施例の正面視断面説明図である。
【図８】本考案に係る建築構造の第七実施例の正面視部分断面説明図である。
【図９】本考案に係る建築構造の第八実施例の正面視部分断面説明図である。
【図１０】本考案に係る建築構造の第九実施例の正面視部分断面説明図である。
【考案を実施するための形態】
【００１９】
図１に示すように、本考案に係る建築構造の実施例は、置き場１０に設置されるものであり、少なくとも１つの保護ユニット２０及び保温ユニット３０を有し、前記各保護ユニット２０は、管体２１と、基層２２と、作業空間２３を備え、前記管体２１の両端にそれぞれ開口が形成され、前記基層２２は、作業空間２３に設置され、前記作業空間２３は、管体２１の内部に形成され、前記作業空間２３の内部が１つの作業区域２４及び２つの準備区域２５に区画され、前記作業区域２４は、２つの準備区域２５の間に形成され、前記準備区域２５は、管体２１の一端の開口に連接される。
【００２０】
一方、本考案に係る建築構造は、複数の保護ユニット２０を有すれば、これらの保護ユニット２０の管体２１はそれぞれ、間隔をおいて平行に配列され、また、それらの管体２１との間隔距離は、保護ユニット２０の幅と同一であることが好ましく、実際の需要に応じて適宜に設計されてもよい。
【００２１】
前記保温ユニット３０は、保護ユニット２０を被覆すると共に置き場１０に配置するように設けられ、汚染防止ユニット３１及び建築充填ユニット３２ａを備え、前記汚染防止ユニット３１は、保護ユニット２０を被覆すると共に置き場１０に配置するように設けられ、前記建築充填ユニット３２ａは、保護ユニット２０を被覆するように汚染防止ユニット３１と保護ユニット２０との間に設けられ、建設廃棄物の再生資源よりなる建築用充填材を含み、前記建築用充填材は、スラグ、フライアッシュ固化体、転炉スラグ、水銀汚染物、耐火レンガ、耐火レンガよりなる材料、などの充填材である。
【００２２】
図２に示すように、前記汚染防止ユニット３１の上面に複数の補助梁４０が設置され、これらの補助梁４０により、建築構造の強度を強化することができる。図６に示すように、前記各保護ユニット２０の管体２１に、２つの外側ドア２６及び２つの内側ドア２７が設けられ、前記２つの外側ドア２６は、管体２１の開口に設けられ、前記２つの内側ドア２７は、作業区域２４と準備区域２５の隣接する箇所に設けられる。図５及び図７に示すように、前記各保護ユニット２０における、管体２１の底部は、置き場１０に埋設され、当該管体２１の上部は、置き場１０から突出し、前記基層２２は、管体２１の底部と隣接する。
【００２３】
前記管体２１は、プレキャストコンクリートで形成するものである。図５に示すように、本考案に係る建築構造は、少なくとも１つの換気仕組み５０を有し、前記換気仕組み５０は、少なくとも１つの換気パイプ５１を備え、前記換気パイプ５１は、管体２１の作業空間２３と連通するように保温ユニット３０に配置され、前記換気パイプ５１は、メン管部及びサブ管部を備え、前記メン管部は、保護ユニット２０と平行するように設けられ、前記サブ管部における、一端は、メン管部と連接され、他端は、管体２１と連接される。
【００２４】
図８及び図９に示すように、本考案に係る建築構造は、少なくとも１つの補助設備を有し、前記補助設備は、管体２１の上部に対応する箇所に少なくとも１つの照明装置６０が設置され、また、本考案に係る建築構造はさらに、少なくとも１つの補助装置を有し、前記補助装置は、保温ユニット３０の上面に少なくとも１つの太陽光発電装置７０が設置され、前記太陽光発電装置７０は、照明装置６０と電気接続される。また、前記補助装置は、光導入装置や、排水装置、スプリンクラーなどを含んでもよく、そのうち、光導入装置を有すれば、光を管体２１の作業空間２３に導入することができる。
【００２５】
図１及び図２に示すように、本考案に係る建築構造は、前記建築充填ユニット３２ａは、第一充填層３３を備え、前記第一充填層３３は、保護ユニット２０を被覆するように設置され、前記第一充填層３３に充填する建築用充填材は、スラグ、フライアッシュ固化体、転炉スラグ、水銀汚染物、耐火レンガ、耐火レンガよりなる材料、などの充填材である。本実施例における第一充填層３３に充填した建築用充填材は、スラグである。
【００２６】
図３に示すように、本考案に係る建築構造は、前記建築充填ユニット３２ｂは、第一充填層３３及び第二充填層３４を備え、前記第一充填層３３及び第二充填層３４に充填する建築用充填材は、スラグ、フライアッシュ固化体、転炉スラグ、水銀汚染物、耐火レンガ、耐火レンガよりなる材料、などの充填材であり、前記第一充填層３３は、保護ユニット２０を被覆するように設置され、前記第二充填層３４は、第一充填層３３の上方に設置される。本実施例における第一充填層３３に充填した建築用充填材は、スラグであり、前記第二充填層３４に充填した建築用充填材は、フライアッシュ固化体である。
【００２７】
図４に示すように、前記建築充填ユニット３２ｃは、第一充填層３３と、第二充填層３４と、第三充填層３５を備え、前記第一充填層３３と第二充填層３４と第三充填層３５に充填する建築用充填材は、スラグ、フライアッシュ固化体、転炉スラグ、水銀汚染物、耐火レンガ、耐火レンガよりなる材料、などの充填材であり、前記第一充填層３３は、保護ユニット２０と隣接するように設置され、前記第二充填層３４は、第一充填層３３の上方に設置され、前記第三充填層３５は、第二充填層３４の上方に設けられる。本実施例における第一充填層３３に充填した建築用充填材は、スラグであり、前記第二充填層３４に充填した建築用充填材は、フライアッシュ固化体であり、前記第三充填層３５は、転炉スラグであり、そのうち、転炉スラグがガスを排出することから、転炉スラグよりなる建築用充填材が建築充填ユニット３２ｃの上部に配置され、換気仕組み５０を用いてガスを排出することができるため、転炉スラグからのガスにより、建築構造の変形を防止することができる。
【００２８】
前記建築充填ユニット３２ａ、３２ｂ、３２ｃは、上述した配置方式だけではなく、工事現場の需要に応じて順に積層されてもよい。また、前記建築充填ユニット３２ａ、３２ｂ、３２ｃの建築充填物は、ファイン・マテリアル及びセメントからなることが好ましい。
前記汚染防止ユニット３１の上部は、１５センチ以上の厚さを有するセメントボードである。図８及び図１０に示すように、本考案に係る建築構造は、汚染防止ユニット３１の上部に、建物８０を作ってもよく、前記建物８０に太陽光発電装置７０が設置されてもよく、前記汚染防止ユニット３１の上部の厚さは、建物の形態に応じて適宜に設計されてもよい。
【００２９】
図５に示すように、置き場１０に埋設穴１１を掘り、保護ユニット２０の管体２１を対応する埋設穴１１に配置し、すなわち、管体２１の下部が埋設穴１１に埋設され、そして、埋設穴１１を掘った土で管体２１を埋めて基層２２を構成することができ、或いは、実際の需要に応じてコンクリートで基層２２を構成する。この後、保温ユニット３０を管体２１の上部に被覆する。図１に示すように、保護ユニット２０の管体２１を置き場１０の地面に置き、土を管体２１に充填して基層２２を構成し、或いは、コンクリートを充填して基層２２を構成し、この後、保温ユニット３０を置き場１０の上部及び管体２１の外周に被覆する。
【００３０】
前記管体２１を作業区域２４及び準備区域２５に区画されることから、作業員が作業区域２４に入る前に、まず準備区域２５に入り、当該準備区域２５に、植栽作業または養殖作業の準備作業を行うと共に、作業用の道具や建築用の機器などのものも準備区域２５に収納することができる。
図８及び図１０に示すように、本考案に係る建築構造において、植栽作業として利用する場合は、管体２１の作業区域２４に野菜９０を栽培してもよく、栽培棚９１を置いて当該栽培棚９１に野菜９０を栽培してもよい。
図９に示すように、本考案に係る建築構造において、養鶏場として利用する場合は、管体２１の作業区域２４に、ヒヨコ９２を飼育してもよく、アヒルや、ガチョウなどの家禽または豚を飼育してもよい。
【００３１】
本考案に係る建築構造は、上述した構成を備えるため、以下のメリットを有する。
保護ユニット２０及び保温ユニット３０を有することから、管体２１の作業区域２４に、恒温且つ安定性が高い作業場所を提供し、酒造などの醸造作業に利用することができる。
建築充填ユニット３２ａ、３２ｂ、３２ｃが保護ユニット２０に被覆されるため、太陽光や、風、雨、温度などの外部環境からの影響を遮断することができ、保護ユニット２０の作業空間２３に、所定の温度を保ち、環境の変動で飼育または栽培の損害を低減することができる。
建築充填ユニット３２ａ、３２ｂ、３２ｃが保護ユニット２０に被覆されるため、家禽または家畜からの騒音を遮断することができると共に、道具または機器を使用する時からの騒音も遮断することができ、また、外部からの音も遮断することができる。
【００３２】
したがって、本考案に係る建築構造は、建設廃棄物の再生資源により作られ、建築充填ユニット３２ａ、３２ｂ、３２ｃに建築充填物を充填することにより、建築構造の内部に、所定の温度を保ち、栽培作業や、飼育作業、工具の収納などに利用することができ、省エネの効果も提供することができる。また、建築充填ユニット３２ａ、３２ｂ、３２ｃは、汚染防止ユニット３１により外部の環境と分離されることから、建設廃棄物が外部に漏れることはないと共に、土や、地下水、土を用いて栽培している植物などを汚染することはなく、環境に優しいものである。さらに、本考案に係る建築構造は、建築充填ユニット３２ａ、３２ｂ、３２ｃにより支えることから、建築構造の強度を強化することができる。本考案に係る建築構造を有すれば、建設廃棄物の不法投棄を抑えることができる。
【００３３】
本考案に係る建築構造の保護ユニット２０は、中空状の管体２１を備え、前記管体２１の底部を置き場１０に埋めるため、保護ユニット２０を穏やかに設置することができ、強い風や、台風、大雨、寒波、温度の激しい変化などの災害を受けても構造の内部に対する悪影響を減少するので、栽培作業や、飼育作業、醸造作業の利用に安定性を高める。
【００３４】
前記管体２１は、鉄筋コンクリートよりなるものであり、金属の支持構造を外部に露出することはないため、耐腐性を備えるガスを生じても管体２１を腐食することはなく、本考案に係る建築構造の使用寿命を延長することができる。また、本考案に係る建築構造は、管体２１及び保温ユニット３０の構成により、作業区域２４を恒温にさせ、暖房の電気代を節約することができ、省エネの効果を提供する。本考案に係る建築構造における管体２１の作業区域２４は、直接に外部と連通することはないので、管体２１及び準備区域２５の配置位置によれば、作業区域２４の内部に動物を飼育しても匂いが管体２１の外部に広がることはない。本考案に係る建築構造における管体２１を有すれば、置き場１０を壊さないため、水土保全機能を維持することができる。
【符号の説明】
【００３５】
１０    置き場
１１    埋設穴
２０    保護ユニット
２１    管体
２２    基層
２３    作業空間
２４    作業区域
２５    準備区域
２６    外側ドア
２７    内側ドア
３０    保温ユニット
３１    汚染防止ユニット
３２ａ、３２ｂ、３２ｃ    建築充填ユニット
３３    第一充填層
３４    第二充填層
３５    第三充填層
４０    補助梁
５０    換気仕組み
５１    換気パイプ
６０    照明装置
７０    太陽光発電装置
８０    建物
９０    野菜
９１    栽培棚
９２    ヒヨコ
【図１】
0003216346.tif 000003
【図２】
0003216346.tif 000004
【図３】
0003216346.tif 000005
【図４】
0003216346.tif 000006
【図５】
0003216346.tif 000007
【図６】
0003216346.tif 000008
【図７】
0003216346.tif 000009
【図８】
0003216346.tif 000010
【図９】
0003216346.tif 000011
【図１０】
0003216346.tif 000012
【手続補正書】
【提出日】平成30年3月16日(2018.3.16)
【手続補正１】
【補正対象書類名】実用新案登録請求の範囲
【補正対象項目名】請求項２
【補正方法】変更
【補正の内容】
【請求項２】
前記建築充填ユニットは、第一充填層を備え、前記第一充填層は、保護ユニットを被覆するように設けられ、前記第一充填層に充填する建築用充填材は、スラグ、フライアッシュ固化体、転炉スラグ、水銀汚染物、または耐火レンガのいずれかの材料からなることを特徴とする請求項１に記載の建築構造。
【手続補正２】
【補正対象書類名】実用新案登録請求の範囲
【補正対象項目名】請求項３
【補正方法】変更
【補正の内容】
【請求項３】
前記建築充填ユニットは、第一充填層及び第二充填層を備え、前記第一充填層及び第二充填層に充填する建築用充填材は、スラグ、フライアッシュ固化体、転炉スラグ、水銀汚染物、または耐火レンガのいずれかの材料からなり、前記第一充填層は、保護ユニットを被覆するように設置され、前記第二充填層は、第一充填層の上方に設けられることを特徴とする請求項１に記載の建築構造。
【手続補正３】
【補正対象書類名】実用新案登録請求の範囲
【補正対象項目名】請求項４
【補正方法】変更
【補正の内容】
【請求項４】
前記建築充填ユニットは、第一充填層と、第二充填層と、第三充填層を備え、前記第一充填層と第二充填層と第三充填層に充填する建築用充填材は、スラグ、フライアッシュ固化体、転炉スラグ、水銀汚染物、または耐火レンガのいずれかの材料からなり、前記第一充填層は、保護ユニットと隣接するように設置され、前記第二充填層は、第一充填層の上方に設置され、前記第三充填層は、第二充填層の上方に設けられることを特徴とする請求項１に記載の建築構造。
【手続補正４】
【補正対象書類名】明細書
【補正対象項目名】０００９
【補正方法】変更
【補正の内容】
【０００９】
かかる建築構造において、前記建築充填ユニットは、第一充填層を備え、前記第一充填層は、保護ユニットを被覆するように設けられ、前記第一充填層に充填する建築用充填材は、スラグ、フライアッシュ固化体、転炉スラグ、水銀汚染物、または耐火レンガのいずれかの材料からなることが好ましい。
【手続補正５】
【補正対象書類名】明細書
【補正対象項目名】００１０
【補正方法】変更
【補正の内容】
【００１０】
かかる建築構造において、前記建築充填ユニットは、第一充填層及び第二充填層を備え、前記第一充填層及び第二充填層に充填する建築用充填材は、スラグ、フライアッシュ固化体、転炉スラグ、水銀汚染物、または耐火レンガのいずれかの材料からなり、前記第一充填層は、保護ユニットを被覆するように設置され、前記第二充填層は、第一充填層の上方に設けられることが好ましい。
【手続補正６】
【補正対象書類名】明細書
【補正対象項目名】００１１
【補正方法】変更
【補正の内容】
【００１１】
かかる建築構造において、前記建築充填ユニットは、第一充填層と、第二充填層と、第三充填層を備え、前記第一充填層と第二充填層と第三充填層に充填する建築用充填材は、スラグ、フライアッシュ固化体、転炉スラグ、水銀汚染物、または耐火レンガのいずれかの材料からなり、前記第一充填層は、保護ユニットと隣接するように設置され、前記第二充填層は、第一充填層の上方に設置され、前記第三充填層は、第二充填層の上方に設けられることが好ましい。